(57)【要約】    【課題】  簡単な構成で冷陰極ランプの寿命や故障に伴う事故を未然に防ぐことができる点灯装置を提供する。    【解決手段】  出力部５は、スイッチング作用部６からのスイッチング制御信号に応じたスイッチング動作を行うことで、前記直流電力を変換して出力電力（高電圧）を取り出し、出力コネクタ８を介して高電圧の交流出力電圧Ｖoutを出力（印加）することで、冷陰極ランプ９を点灯させる。検出部10が出力部５からの出力である負荷電流Ｉoutを検出して、検出信号を出力すると、回路開閉部11はスイッチング作用部６への動作電力供給を増加（開始）し、一方、冷陰極ランプ９に異常が発生して負荷電流Ｉoutが遮断された場合には、前記検出信号が出力されないため、回路開閉部11はスイッチング作用部６への動作電力供給を減少（停止）する。【選択図】  図１
2005346997.tif 000002
【特許請求の範囲】
【請求項１】
スイッチング素子のスイッチング動作により入力電力を変換して負荷に供給する出力部と、前記スイッチング素子をスイッチング動作させる作用部とからなる自励型インバータ回路を備えた点灯装置において、
前記負荷に流れる負荷電流が所定値以上の場合に検出信号を出力する検出部と、一方の前記入力電力の供給路と前記スイッチング素子の制御端子との間に第１のスイッチ素子を接続し、前記入力電力の供給路の両端間に第１および第２の抵抗とコンデンサとからなる直列回路を接続し、前記第１および第２の抵抗の接続点を前記第１のスイッチ素子の制御端子に接続すると共に、前記コンデンサの両端間に第２のスイッチ素子を接続してなる開閉部とを備え、
前記開閉部は、前記検出信号が出力されると、前記第２のスイッチ素子ひいては前記第１のスイッチ素子をオンする一方で、前記検出信号が出力されないと、前記第２のスイッチ素子をオフして、前記第１および第２の抵抗とコンデンサとの時定数で決まる遅延時間後に前記第１のスイッチ素子をオフする構成のものであることを特徴とする点灯装置。
【発明の詳細な説明】
【技術分野】
【０００１】
本発明は、液晶のバックライト等に使用される冷陰極ランプなどの点灯管を動作させるための点灯装置に関する。
【背景技術】
【０００２】
液晶のバックライト等に使用される点灯管として、冷陰極ランプが知られている。冷陰極ランプは、フィラメントを持たない蛍光ランプであり、通常の蛍光管に比較し非常に細い形状を有することを特徴としている。この冷陰極ランプを点灯させるには、フィラメントを持たないことから、例えば２００〜７００Ｖといった通常の蛍光灯より高い電圧を必要とする。冷陰極ランプを点灯するための点灯装置には、主に特許文献１又は特許文献２に示すような所謂コレクタ共振型インバータ回路（電圧共振型ロイヤー回路ともいう）が備えられ、冷陰極ランプの電極間に所望の高電圧を印加することで点灯させている。その為、何らかの原因で冷陰極ランプが破壊された時や、冷陰極ランプの寿命による不安定点灯時には、当該高電圧に起因する電気スパークや異常発熱が発生する虞がある。
【０００３】
上記従来の点灯装置における問題を解決する手段として、特許文献３に開示されるものがある。これは、異常検知回路により点灯装置の負荷電流（放電ランプを流れる電流）と所定値とを比較することで異常を検知すると、インバータ回路の制御手段としてのマイクロコンピュータ（以下、マイコンという）へ異常信号が出力され、インバータ回路の発振が停止するというものである。このようにして、放電ランプの寿命や未装着に伴う発熱等による事故を未然に防止するようにしている。
【特許文献１】特開平０５−８９９８９号公報
【特許文献２】特開平０７−２１１４７２号公報
【特許文献３】特開２００３−７７６９３号公報
【発明の開示】
【発明が解決しようとする課題】
【０００４】
しかし、上記特許文献３に開示される解決手段では、異常検知回路に負荷電流値と所定値とを比較するための構成（ウインドコンパレータ）を設ける必要があり、回路が複雑化するという問題があった。また、インバータ回路の制御には、マイコンなどの制御回路が使用されているため、制御回路（周辺回路含む）が複雑化し、部品点数も多くなる。従って、製造工数やコストの増加を招来することとなる。とりわけ制御回路にマイコンを使用した場合には、マイコン駆動用の例えば５Ｖなどの動作電圧を、インバータ回路の入力電圧とは別に生成する必要があり、装置全体が複雑化するという問題がある。マイコンは比較的高価な部品であるため、安価な製品に採用することが困難であった。
【０００５】
そこで本発明は上記問題点に鑑み、簡単な構成で冷陰極ランプの寿命や故障に伴う事故を未然に防ぐことができる点灯装置を提供することを目的とする。
【課題を解決するための手段】
【０００６】
本発明における請求項１の点灯装置では、スイッチング素子のスイッチング動作により入力電力を変換して負荷に供給する出力部と、前記スイッチング素子をスイッチング動作させる作用部とからなる自励型インバータ回路を備えた点灯装置において、前記負荷に流れる負荷電流が所定値以上の場合に検出信号を出力する検出部と、一方の前記入力電力の供給路と前記スイッチング素子の制御端子との間に第１のスイッチ素子を接続し、前記入力電力の供給路の両端間に第１および第２の抵抗とコンデンサとからなる直列回路を接続し、前記第１および第２の抵抗の接続点を前記第１のスイッチ素子の制御端子に接続すると共に、前記コンデンサの両端間に第２のスイッチ素子を接続してなる開閉部とを備え、前記開閉部は、前記検出信号が出力されると、前記第２のスイッチ素子ひいては前記第１のスイッチ素子をオンする一方で、前記検出信号が出力されないと、前記第２のスイッチ素子をオフして、前記第１および第２の抵抗とコンデンサとの時定数で決まる遅延時間後に前記第１のスイッチ素子をオフする構成のものである。
【０００７】
本発明は、作用部への電力供給を増減させることにより、当該機能を停止させ、出力部の動作ひいては出力を停止させることができることに着目してなされたものであり、開閉部は、高圧となる出力部ではなく、常時低圧である作用部への電力供給を減少することにより、負荷に供給する出力を停止させている。
【０００８】
このようにすると、マイコンなどの制御回路を使用しなくとも、スイッチ素子，抵抗，コンデンサだけの簡単な構成で出力を停止させることができるため、装置全体が複雑化することがなく、低コストとすることができる。簡単な構成程、誤動作する虞が少ないため、確実に出力を停止させることができ、安全機能の信頼性を向上させることができる。また、開閉部の構成部品に要求される耐圧を低くすることができるため、比較的安価な部品で構成することができると共に、当該部品ひいては点灯装置の寿命をも延ばすことができる。さらに、第２のスイッチ素子をオフしてから第１のスイッチ素子をオフするまでに遅延時間を設けているため、出力部に瞬間的な出力低下が発生しても、負荷に供給する出力が停止することがなく、開閉部の誤作動を防ぐことができると共に、点灯装置の起動時に、直流電力の供給が開始されてから、検出部が負荷電流を検出して検出信号を出力するまでの時間、作用部への電力供給を維持する起動手段としても機能させることができる。
【発明の効果】
【０００９】
本発明の請求項１によると、装置全体が複雑化することがなく、低コストとすることができると共に、出力に瞬低が発生しても、開閉部が誤作動することがないため、確実に出力を停止させることができ、安全機能の信頼性を向上させることができる。
【発明を実施するための最良の形態】
【００１０】
以下、添付図面を参照しながら、本発明における点灯装置の好ましい実施例を説明する。
【００１１】
図１は、本発明における点灯装置の全体構成を示すブロック図である。点灯装置20は主に、例えばインバータ回路からなる出力部５と、出力部５をスイッチング動作させるスイッチング手段を備えたスイッチング作用部６と、出力部５から冷陰極ランプ９に供給される出力を検出する検出部10と、スイッチング作用部６への動作電力供給を増減する回路開閉部11とから構成されており、入力コネクタ２と出力コネクタ８とを介して、直流電源１と負荷としての冷陰極ランプ９とがそれぞれ点灯装置20に接続されている。
【００１２】
点灯装置20の入力端子としての入力コネクタ２には、直流入力電圧Ｖinを有する直流電源１が接続され、装置の内部回路に入力電力としての直流電力を供給している。前記直流電力は、過電流保護用のヒューズ３及び逆流防止用のダイオード４を介して、出力部５と回路開閉部11とにそれぞれ供給される。出力部５は、スイッチング作用部６からのスイッチング制御信号に応じたスイッチング動作を行うことで、前記直流電力を変換して出力電力（高電圧）を取り出し、出力コネクタ８を介して高電圧の交流出力電圧Ｖoutを出力（印加）することで、冷陰極ランプ９を点灯させる。なお、７は電流制限素子としてのバラストコンデンサである。一方、回路開閉部11は、スイッチング作用部６に前記直流電力を動作電力として供給する電力供給路の開閉を行うものであり、検出部10の検出信号に応じて、スイッチング作用部６への動作電力供給を増減する。すなわち、検出部10が出力部５からの出力である負荷電流Ｉoutを検出して、検出信号を出力すると、回路開閉部11はスイッチング作用部６への動作電力供給を増加（開始）し、一方、冷陰極ランプ９に異常が発生して負荷電流Ｉoutが遮断された場合には、前記検出信号が出力されないため、回路開閉部11はスイッチング作用部６への動作電力供給を減少（停止）する。従って、点灯装置20の電源投入時には、当該動作電力供給を一定時間行うための起動手段が必要となる。
【００１３】
図２は、本発明における点灯装置の全体構成を具体的に示した回路図である。本実施例では、出力部５及びスイッチング作用部６に周知のコレクタ共振型インバータ回路を採用している。もちろん、例えばプッシュプル電圧共振回路などの各種インバータ回路を用いてもよい。出力部５は、チョークコイル30と、トランス25を構成する一次巻線26ａ，26ｂ，及び二次巻線27と、共振コンデンサ31と、ＰＮＰ型のスイッチング素子33，34とから成り、一方、スイッチング作用部６は、トランス25を構成する補助巻線26ｃと、抵抗35，36とから成る。なお、本実施例では、便宜上上記のようにコレクタ共振型インバータ回路の各構成素子を出力部５とスイッチング作用部６とに区別しているが、コレクタ共振型インバータ回路は自励型であるため、マイコンなどでスイッチング制御するインバータ回路のような所謂多励型のように、出力部５とスイッチング作用部６とが明確に区別されるものではない。
【００１４】
出力部５及びスイッチング作用部６の構成について詳述する。チョークコイル30の一端はダイオード４のカソードに接続され、他端はトランス25を構成する一次巻線26ａの非ドット側と一次巻線26ｂのドット側との接続点、すなわちセンタータップに接続される。一次巻線26ａのドット側と一次巻線26ｂの非ドット側との間には、共振コンデンサ31が接続される。また、一次巻線26ａのドット側はスイッチング素子34のコレクタに接続され、一方、一次巻線26ｂの非ドット側はスイッチング素子33のコレクタに接続される。スイッチング素子33，34のエミッタは直流電源１のグランドラインにそれぞれ接地される。スイッチング素子33，34のベースは、それぞれ抵抗35，36を介して、後述する回路開閉部11を構成するトランジスタ50のコレクタに接続される。トランス25を構成する補助巻線26ｃのドット側には、トランジスタ33のベースが接続され、当該非ドット側にはトランジスタ34のベースが接続される。トランス25を構成する二次巻線27のドット側には、バラストコンデンサの一端が接続され、一方、非ドット側には、抵抗22と後述する検出部10を構成するフォトカプラ21の発光ダイオード21Ａの一端とが接続される。なお、出力部５及びスイッチング作用部６の動作については後述する。
【００１５】
検出部10には、負荷電流Ｉoutを検出する為のフォトカプラ21を使用し、当該入力側の発光ダイオード（ＬＥＤ）21Ａに負荷電流Ｉoutが流れるように、二次巻線27の非ドット側と出力コネクタ８との間に挿入接続されている。冷陰極ランプ９を流れる負荷電流Ｉoutは交流であるため、ＡＣ入力対応の対を成す発光ダイオード21Ａを備えた双方向フォトカプラを使用し、前記発光ダイオード21Ａと並列に抵抗22を接続している。本実施例では、当該双方向フォトカプラを採用することにより、出力部５を構成するトランス25の一次側と二次側との絶縁を確保しつつ、二次側の電流検出結果を一次側に検出信号Ｖdとして伝達可能としている。検出部10と回路開閉部11との接続については、回路開閉部11にＰＮＰ型のトランジスタ53を設け、フォトカプラ21の出力側を構成するＰＮＰ型のフォトトランジスタ21Ｂがターンオンすると、トランジスタ53のベースに、直流入力電圧Ｖinを抵抗40と抵抗41とにより分圧して印加することで、回路開閉部11にＨレベルの検出信号Ｖdを入力するよう構成している。一方、当該フォトトランジスタ21Ｂがターンオフすると、トランジスタ53のベースは、抵抗41を介して直流電源１のグランドラインに接地、すなわちＬレベルが入力されるよう構成している。
【００１６】
回路開閉部11は、スイッチング作用部６に前記直流電力を動作電力として供給する電力供給路の開閉を行う第１のスイッチ素子としてのＰＮＰ型のトランジスタ50と、第１の抵抗51と、第２の抵抗52と、第２のスイッチ素子としての前記トランジスタ53と、コンデンサ54とから構成される。トランジスタ50のエミッタはダイオード４のカソードに接続され、コレクタはスイッチング作用部６を構成する抵抗35と抵抗36との接続点に接続される。トランジスタ50のベースには、抵抗52を介して、トランジスタ53のコレクタとコンデンサ54の一端とにそれぞれ接続される。トランジスタ53のエミッタとコンデンサ54の他端とは、直流電源１のグランドラインに接地される。抵抗51は、トランジスタ50のエミッタ−ベース間に接続されている。
【００１７】
前述のように、検出部10が出力部５からの出力を検出して、検出信号Ｖdが出力される（Ｈレベルを出力）と、トランジスタ53はターンオンし、コンデンサ54の両端間が短絡された状態となると共に、トランジスタ50のベースが抵抗52を介して直流電源１のグランドラインに接地される。このとき、トランジスタ50のベース−エミッタ間電圧が上昇し、トランジスタ50がターンオンするため、スイッチング作用部６の動作電力供給路が開き、当該動作電力供給すなわち動作電圧Ｖpが増加する。従って、検出部10からの検出信号出力が維持される限り、スイッチング作用部６への動作電力供給は継続される。
【００１８】
一方、出力部５からの負荷電流Ｉoutが遮断された場合には、検出部10から検出信号Ｖdが出力されない（Ｌレベルを出力）ため、トランジスタ53がターンオフする。このとき、抵抗51，52を介して直流電源１によりコンデンサ54が充電され、コンデンサ54の両端間電圧である充電電圧Ｖcが当該時定数に従い次第に上昇する。充電電圧Ｖcが上昇すると、自ずとトランジスタ50のベース−エミッタ間電圧が低下し、トランジスタ50がターンオフするため、スイッチング作用部６の動作電力供給路が閉じ、当該動作電力供給すなわち動作電圧Ｖpが減少する。従って、トランジスタ50は、トランジスタ53がターンオフしてから充電電圧Ｖcが所定電圧まで充電される時間の経過後にターンオフすることとなる。このとき、コンデンサ54は、検出部10が出力部５の出力停止を検出（検出信号ＶdがＬレベル）してから、回路開閉部11がスイッチング作用部６への電力供給を減少するまでの時間を遅延させる遅延手段として働く。
【００１９】
以下、図２及び図３に基づいて、点灯装置20の動作と共に、本発明の作用について説明する。図３は、点灯装置20に電源を投入してからの経過時間に対する各部の動作を示したタイミング図である。
【００２０】
直流電源１から点灯装置20に直流電力が供給されると、トランジスタ50の初期状態が導通状態、すなわちスイッチング作用部６の動作電力供給路が開いているため、当該動作電力供給が開始され、スイッチング作用部６の動作電圧Ｖpは増加し、直流入力電圧Ｖinとなる（ダイオード４やトランジスタ50による電圧降下は除く）。同時に、直流入力電圧Ｖinによりコンデンサ54が充電され、充電電圧Ｖcが上昇する。
【００２１】
出力部５は、スイッチング作用部６からのスイッチング制御信号に応じて、スイッチング動作を行う。具体的には、直流入力電圧Ｖinがスイッチング素子33，34に印加されたときに、両者の特性のわずかな違いからスイッチング素子33，34のうちどちらかが先にターンオンする。ここで、スイッチング素子33が先にターンオンしたとすると、トランス25の一次巻線26ｂに電流が流れ、補助巻線26ｃのドット側が正となるよう電圧が誘起される。補助巻線26ｃに誘起された電圧は、スイッチング素子33をターンオンする方向に、スイッチング素子34をターンオフする方向に作用する。トランス25の一次巻線26ａ，26ｂの両端間のインダクタンスとコンデンサ31で構成されるタンク回路の共振周波数の半周期の時間が経過すると共振現象によりトランス25の一次巻線26ａ，26ｂの両端間の電圧が反転し、同時に補助巻線26ｃ間の電圧も反転する。したがって、スイッチング素子33，34のオン、オフ状態が反転する。スイッチング素子34がターンオンすると、一次巻線26ａに電流が流れ、同様に動作し、以降上記の動作を繰り返す。
【００２２】
このようにして、スイッチング素子33，34は交互にスイッチング動作を行うことにより、前記直流電力から出力電力（高電圧）を取り出し、トランス25の一次巻線26ａ，26ｂには、トランス25の漏れインダクタンスと共振コンデンサ31とによる共振電圧が印加され、それに伴い二次巻線27には、トランス25の一次側と二次側の巻線比に応じた交流電圧が誘起され、高電圧の交流出力電圧Ｖoutとして冷陰極ランプ９に印加される。このとき、冷陰極ランプ９には交流の負荷電流Ｉoutが流れ、フォトカプラ21の発光ダイオード21Ａに入力される。
【００２３】
検出部10を構成するフォトカプラ21の発光ダイオード21Ａに、所定の電流値Ｉa以上の負荷電流Ｉoutが入力されると、フォトトランジスタ21Ｂがオンして、検出信号ＶdのＨレベルが回路開閉部11を構成するトランジスタ53のベースに入力される。トランジスタ53がターンオンすると、トランジスタ53により形成された放電経路を通じてコンデンサ54の充電電圧Ｖcが放電されることにより、トランジスタ50の導通状態が維持されるため、スイッチング作用部６の動作電力が継続して供給される。
【００２４】
出力部５から冷陰極ランプ９へ引き続き交流出力電圧Ｖoutが出力されることとなるが、冷陰極ランプ９を流れる負荷電流Ｉoutは交流であるため、その電流値が所定の周期内で変化する。そのため、負荷電流ＩoutがＩaから−Ｉaの範囲となる期間では、検出信号ＶdがＬレベルとなる。本実施例では、コンデンサ54を設けているため、このような検出信号Ｖdが瞬間的にＬレベルとなる期間に対処することができる。すなわち、検出信号Ｖdの出力がＬレベルになってから、コンデンサ54の充電電圧Ｖcがトランジスタ50がターンオフする所定の閾値Ｖthに達するまでに、検出信号Ｖdが出力されれば、スイッチング作用部６の動作電力供給が停止することはない。従って、この期間でスイッチング作用部６の機能が停止しないように、出力周波数と当該遅延時間を決定する時定数とを調整する必要がある。
【００２５】
冷陰極ランプ９に異常が発生し、負荷電流Ｉoutが遮断された場合には、フォトトランジスタ21Ｂがオフして検出信号ＶdがＬレベルとなり、トランジスタ53がターンオフするため、抵抗51，52を介して直流電源１によりコンデンサ54が充電される。コンデンサ54の充電電圧Ｖcは、当該時定数に従い次第に上昇する。コンデンサ54の充電電圧Ｖcが所定の閾値Ｖthに達すると、トランジスタ50がターンオフするため、スイッチング作用部６の動作電力供給路が閉じ、当該動作電力供給を減少，停止する。なお、回路開閉部11の閉状態を解除するには、一反、直流電源１からの直流電力供給を停止し、再度、当該直流電力を供給すればよい。
【００２６】
ところで、スイッチング作用部６の動作電力供給路は、出力部５のように高圧となることはなく、常時低圧であるため、回路開閉部11を構成するトランジスタ50，トランジスタ53，コンデンサ54などの部品に要求される耐圧を低くすることができる。従って、比較的安価な部品で構成することができると共に、当該部品ひいては点灯装置20の寿命をも延ばすことができる。
【００２７】
上記のように、コンデンサ54は、点灯装置20の起動時には、直流電源１により直流電力の供給が開始されてから、検出部10が出力部５の出力を検知して検出信号Ｖdを出力するまでの時間、スイッチング作用部６への電力供給を維持する起動手段としても働く。これは、検出部10が出力部５の出力停止を検出してからスイッチング作用部６への電力供給を減少させるまでの時間を遅延させる遅延手段としての機能に起因するものである。従って、本実施例では、コンデンサ54を起動手段と遅延手段とで兼用して使用している。
【００２８】
以上のように本実施例では、スイッチング素子33，34のスイッチング動作により入力電力を変換して負荷としての冷陰極ランプ９に供給する出力部５と、前記スイッチング素子33，34をスイッチング動作させるスイッチング作用部６とからなる自励型インバータ回路を備えた点灯装置20において、冷陰極ランプ９に流れる負荷電流Ｉoutが所定値Ｉa（又は−Ｉa）以上の場合に検出信号Ｖdを出力する検出部10と、一方の前記入力電力の供給路とスイッチング素子33，34の制御端子であるベースとの間に第１のスイッチ素子としてのトランジスタ50を接続し、前記入力電力の供給路の両端間に第１および第２の抵抗51，52とコンデンサ54とからなる直列回路を接続し、抵抗51，52の接続点をトランジスタ50の制御端子であるベースに接続すると共に、コンデンサ54の両端間に第２のスイッチ素子としてのトランジスタ53を接続してなる回路開閉部11とを備え、回路開閉部11は、検出信号Ｖdが出力されると、トランジスタ53ひいてはトランジスタ50をオンする一方で、検出信号Ｖdが出力されないと、トランジスタ53をオフして、抵抗51，52とコンデンサ54との時定数で決まる遅延時間後にトランジスタ50をオフする構成のものである。
【００２９】
本発明は、スイッチング作用部６への電力供給を増減させることにより、当該機能を停止させ、出力部５の動作ひいては出力を停止させることができることに着目してなされたものであり、回路開閉部11は、高圧となる出力部５ではなく、常時低圧であるスイッチング作用部６への電力供給を減少することにより、冷陰極ランプ９に供給する出力を停止させている。
【００３０】
このようにすると、マイコンなどの制御回路を使用しなくとも、トランジスタ50，53，抵抗51，52，コンデンサ54だけの簡単な構成で出力を停止させることができるため、装置全体が複雑化することがなく、低コストとすることができる。簡単な構成程、誤動作する虞が少ないため、確実に出力を停止させることができ、安全機能の信頼性を向上させることができる。また、回路開閉部11の構成部品に要求される耐圧を低くすることができるため、比較的安価な部品で構成することができると共に、当該部品ひいては点灯装置20の寿命をも延ばすことができる。さらに、トランジスタ53をオフしてからトランジスタ50をオフするまでに遅延時間を設けているため、出力部５に瞬間的な出力低下が発生しても、冷陰極ランプ９に供給する出力が停止することがなく、回路開閉部11の誤作動を防ぐことができると共に、点灯装置20の起動時に、直流電力の供給が開始されてから、検出部10が負荷電流Ｉoutを検出して検出信号Ｖdを出力するまでの時間、スイッチング作用部６への電力供給を維持する起動手段としても機能させることができる。
【００３１】
以上より、装置全体が複雑化することがなく、低コストとすることができると共に、出力に瞬低が発生しても、回路開閉部11が誤作動することがないため、確実に出力を停止させることができ、安全機能の信頼性を向上させることができる。
【００３２】
なお、本発明は、上記実施例に限定されるものではなく、本発明の趣旨を逸脱しない範囲で変更可能である。点灯装置に限らず、各種機器の安全装置として適用可能である。また、マイコンなどの制御回路を搭載した点灯装置に利用してもよく、この場合には、制御回路自体の動作電力を増減するようにすればよい。さらに、検出部で検出する出力としては、負荷電流の他、出力電圧を検出するようにしてもよく、出力部の過電流を検出してもよい。
【図面の簡単な説明】
【００３３】
【図１】本発明の実施例における点灯装置の構成を示すブロック図である。
【図２】同上、点灯装置の構成を具体的に示す回路図である。
【図３】同上、点灯装置を構成する各部の動作を示すタイミング図である。
【符号の説明】
【００３４】
５  出力部
６  スイッチング作用部（作用部）
９  冷陰極ランプ（負荷）
10  検出部
11  回路開閉部（開閉部）
20  点灯装置
33，34  スイッチング素子
50  トランジスタ（第１のスイッチ素子）
51  抵抗（第１の抵抗）
52  抵抗（第２の抵抗）
53  トランジスタ（第２のスイッチ素子）
54  コンデンサ
【図１】
2005346997.tif 000003
【図２】
2005346997.tif 000004
【図３】
2005346997.tif 000005